(57)【要約】【課題】長時間に亘って心地よく装着状態を継続できるようなマスクを提供することである。【解決手段】本発明は、使用者の口を覆うための繊維部と、使用者の左耳に掛けられるための、前記繊維部の左側の上下に両端が接続された左側紐部と、使用者の右耳に掛けられるための、前記繊維部の右側の上下に両端が接続された右側紐部と、左側紐部の少なくとも一部を取り囲む左側弾性付与部材と、右側紐部の少なくとも一部を取り囲む右側弾性付与部材と、を備えたマスクであって、各弾性付与部材は、筒状の弾性部材が螺旋状に切り込まれた状態に構成されて、左側紐部または右側紐部の少なくとも一部を巻き込むように配置されていることを特徴とするマスクである。【選択図】図３
2015042231.tif 000002
【特許請求の範囲】
【請求項１】
使用者の口を覆うための繊維部と、
使用者の左耳に掛けられるための、前記繊維部の左側の上下に両端が接続された左側紐部と、
使用者の右耳に掛けられるための、前記繊維部の右側の上下に両端が接続された右側紐部と、
左側紐部の少なくとも一部を取り囲む左側弾性付与部材と、
右側紐部の少なくとも一部を取り囲む右側弾性付与部材と、
を備えたマスクであって、
各弾性付与部材は、筒状の弾性部材が螺旋状に切り込まれた状態に構成されて、左側紐部または右側紐部の少なくとも一部を巻き込んで配置されている
ことを特徴とするマスク。
【請求項２】
前記筒状の弾性部材は、シリコンゴムからなっている
ことを特徴とする請求項１に記載のマスク。
【請求項３】
前記筒状の弾性部材は、内径が１ｍｍ〜２ｍｍであり、外径が３ｍｍ〜５ｍｍであり、長さが３ｃｍ〜１０ｃｍであるという円筒状の弾性部材である
ことを特徴とする請求項１または２に記載のマスク。
【請求項４】
前記筒状の弾性部材の螺旋状の切り込みの方向は、当該筒状の弾性部材の軸線方向に対して、４５°〜７５°の範囲内の方向である
ことを特徴とする請求項１乃至３のいずれかに記載のマスク。
【請求項５】
使用者の口を覆うための繊維部と、
使用者の左耳に掛けられるための、前記繊維部の左側の上下に両端が接続された左側紐部と、
使用者の右耳に掛けられるための、前記繊維部の右側の上下に両端が接続された右側紐部と、
を備えたマスクの各紐部に取り付けるための弾性付与部材であって、
筒状の弾性部材が螺旋状に切り込まれた状態に構成されており、マスクの各紐部の少なくとも一部を巻き込むようにして当該紐部に取り付け可能である
ことを特徴とするマスクの紐部用の弾性付与部材。
【請求項６】
前記筒状の弾性部材は、シリコンゴムからなっている
ことを特徴とする請求項５に記載のマスクの紐部用の弾性付与部材。
【請求項７】
前記筒状の弾性部材は、内径が１ｍｍ〜２ｍｍであり、外径が３ｍｍ〜５ｍｍであり、長さが３ｃｍ〜１０ｃｍであるという円筒状の弾性部材である
ことを特徴とする請求項５または６に記載のマスクの紐部用の弾性付与部材。
【請求項８】
前記筒状の弾性部材の螺旋状の切り込みの方向は、当該筒状の弾性部材の軸線方向に対して、４５°〜７５°の範囲内の方向である
ことを特徴とする請求項５乃至７のいずれかに記載のマスクの紐部用の弾性付与部材。
【発明の詳細な説明】
【技術分野】
【０００１】
本発明は、使用者の口（及び鼻）を覆うための繊維部と、使用者の左耳に掛けられるための、前記繊維部の左側の上下に両端が接続された左側紐部と、使用者の右耳に掛けられるための、前記繊維部の右側の上下に両端が接続された右側紐部と、を備えたマスクに関する。
【背景技術】
【０００２】
使用者の口（及び鼻）を覆うための繊維部と、使用者の左耳に掛けられるための、前記繊維部の左側の上下に両端が接続された左側紐部と、使用者の右耳に掛けられるための、前記繊維部の右側の上下に両端が接続された右側紐部と、を備えたマスクは、従来から良く利用されている。
【０００３】
左側紐部及び右側紐部は、通常、ゴム紐などで構成される。ゴム紐は、ある程度の弾性を有するものの、長時間に亘って耳に掛けられると、使用者が耳に痛みを感じることがある。
【０００４】
特許文献１は、そのような不具合を解消するために提案されたものである。特許文献１に開示されたマスクでは、図４及び図５に示すように、耳掛け紐２にチューブの形状（筒状）の柔軟性部材３が装着されている。
【先行技術文献】
【特許文献】
【０００５】
【特許文献１】特開２０１３−０７４９２７号
【発明の概要】
【発明が解決しようとする課題】
【０００６】
しかしながら、本件発明者による鋭意の実験ないし検討によれば、特許文献１に開示されたマスクの構造では、チューブの形状の柔軟性部材３にある程度の「コシ」が存在するために、マスク装着時に耳掛け紐２（及び柔軟性部材３）が十分に耳回りに馴染む（変形する）ことができず、心地よい装着感を得ることができない。
【０００７】
本発明は、当該知見に基づいて創案されたものである。本発明の目的は、長時間に亘って心地よく装着状態を継続できるようなマスクを提供することである。
【課題を解決するための手段】
【０００８】
本発明は、使用者の口を覆うための繊維部と、使用者の左耳に掛けられるための、前記繊維部の左側の上下に両端が接続された左側紐部と、使用者の右耳に掛けられるための、前記繊維部の右側の上下に両端が接続された右側紐部と、左側紐部の少なくとも一部を取り囲む左側弾性付与部材と、右側紐部の少なくとも一部を取り囲む右側弾性付与部材と、を備えたマスクであって、各弾性付与部材は、筒状の弾性部材が螺旋状に切り込まれた状態に構成されて、左側紐部または右側紐部の少なくとも一部を巻き込んで配置されていることを特徴とするマスクである。
【０００９】
本発明によれば、弾性付与部材が、筒状の弾性部材を螺旋状に切断することで構成されているため、そのような弾性付与部材が設けられた左側紐部及び右側紐部は、使用者がマスクを装着する時に十分に耳回りに馴染む（変形する）ことができ、長時間に亘って心地よい装着感を得ることができる。
【００１０】
また、筒状の弾性部材を螺旋状に切断することで構成された弾性付与部材は、左側紐部または右側紐部の少なくとも一部を巻き込むように配置可能であるため、左側紐部または右側紐部の少なくとも一部に対する着脱を自在に繰り返すことが可能である。これにより、繊維部が傷んだ後に弾性付与部材のみを繰り返し再利用することが可能である。
【００１１】
弾性付与部材を構成する筒状の弾性部材は、例えば、シリコンゴムから構成され得る。サイズ及び形状としては、例えば、内径が１ｍｍ〜２ｍｍであり、外径が３ｍｍ〜５ｍｍであり、長さが３ｃｍ〜１０ｃｍであるという円筒状が採用され得る。螺旋状の切り込みの方向は、本件発明者の知見によれば、当該筒状の弾性部材の軸線方向に対して４５°〜７５°の範囲内の方向であることが好ましい。
【００１２】
また、本発明の弾性付与部材は、マスク本体から切り離されて販売され得る。すなわち、本発明は、使用者の口を覆うための繊維部と、使用者の左耳に掛けられるための、前記繊維部の左側の上下に両端が接続された左側紐部と、使用者の右耳に掛けられるための、前記繊維部の右側の上下に両端が接続された右側紐部と、を備えたマスクの各紐部に取り付けるための弾性付与部材であって、筒状の弾性部材が螺旋状に切り込まれた状態に構成されており、マスクの各紐部の少なくとも一部を巻き込むようにして当該紐部に取り付け可能であることを特徴とするマスクの紐部用の弾性付与部材である。
【発明の効果】
【００１３】
本発明によれば、弾性付与部材が、筒状の弾性部材を螺旋状に切断することで構成されているため、そのような弾性付与部材が設けられた左側紐部及び右側紐部は、使用者がマスクを装着する時に十分に耳回りに馴染む（変形する）ことができ、長時間に亘って心地よい装着感を得ることができる。
【００１４】
また、筒状の弾性部材を螺旋状に切断することで構成された弾性付与部材は、左側紐部または右側紐部の少なくとも一部を巻き込むように配置可能であるため、左側紐部または右側紐部の少なくとも一部に対する着脱を自在に繰り返すことが可能である。これにより、繊維部が傷んだ後に弾性付与部材のみを繰り返し再利用することが可能である。
【図面の簡単な説明】
【００１５】
【図１】本発明の一実施の形態のマスクに用いられる弾性付与部材を示す斜視図である。
【図２】本発明の一実施の形態のマスクを示す斜視図である。
【図３】図２のマスクの紐部が撓んだ状態を示す斜視図である。
【図４】従来のマスクの概略図である（特許文献１の図１）。
【図５】従来のマスクのチューブの形状の柔軟性部材の概略図である（特許文献１の図２）。
【発明を実施するための形態】
【００１６】
以下に、添付の図面を参照して、本発明の一実施の形態を詳細に説明する。
【００１７】
図１は、本発明の一実施の形態のマスクに用いられる弾性付与部材を示す斜視図であり、図２は、本発明の一実施の形態のマスクを示す斜視図であり、図３は、図２のマスクの紐部が撓んだ状態を示す斜視図である。
【００１８】
図２及び図３に示すように、本実施の形態のマスク１０は、使用者の口（及び鼻）を覆うための約９．５ｃｍ×約１８ｃｍの長方形状の繊維部１１と、使用者の左耳に掛けられるための、繊維部１１の左側の上下に両端が接続された左側紐部１２と、使用者の右耳に掛けられるための、繊維部１１の右側の上下に両端が接続された右側紐部１３と、を備えている。本実施の形態の右側紐部１３及び右側紐部１３は、それぞれ、外径が２ｍｍであり、長さが１４ｃｍである円筒状のゴム紐である。
【００１９】
そして、左側紐部１２の少なくとも一部を取り囲む左側弾性付与部材１５と、右側紐部１３の少なくとも一部を取り囲む右側弾性付与部材１６と、が設けられている。
【００２０】
図１乃至図３に示すように、これらの弾性付与部材１５、１６は、本発明の特徴として、筒状の弾性部材が螺旋状に切り込まれた状態に構成されて、左側紐部１２または右側紐部１３の少なくとも一部を巻き込んで配置されている。ここで、本実施の形態の筒状の弾性部材は、シリコンゴムからなっており、左側紐部１２または右側紐部１３から取り外された状態において、内径が１．５ｍｍであり、外径が４．５ｍｍであり、長さが７ｃｍであるという円筒状の弾性部材である。
【００２１】
また、本実施の形態の筒状の弾性部材の螺旋状の切り込み線Ｃの方向は、当該筒状の弾性部材の軸線方向に対して、６０°の方向である。この螺旋状の切り込み線Ｃを拡開させながら、筒状の弾性部材をして左側紐部１２または右側紐部１３を巻き込むようにしていくことにより、弾性付与部材１５、１６は左側紐部１２または右側紐部１３の少なくとも一部を取り囲んだ状態に取り付けられる。
【００２２】
このようにして弾性付与部材１５、１６が取り付けられた左側紐部１２及び右側紐部１３は、弾性付与部材１５、１６における螺旋状の切り込み線Ｃの存在によって、使用者がマスクを装着する時に十分に耳回りに馴染む（変形する）ことができる。これにより、使用者は長時間に亘って心地よい装着感を得ることができる。
【００２３】
また、本実施の形態の弾性付与部材１５、１６は、左側紐部１２または右側紐部１３の少なくとも一部を巻き込むように配置可能であるため、左側紐部１２または右側紐部１３の少なくとも一部に対する着脱を自在に繰り返すことが可能である。これにより、繊維部１１が傷んだ後に弾性付与部材１５、１６のみを繰り返し再利用することも可能である。
【００２４】
また、弾性付与部材１５、１６は、その螺旋状の切り込み線Ｃを拡開させながら、左側紐部１２または右側紐部１３を巻き込むようにして取り付けられるため、弾性付与部材１５、１６の内径と紐部１２、１３の外径との間の関係について高精度な調整をする必要が無い。このことは、マスク１０の各要素部材の設計、特に弾性付与部材１５、１６の設計に、高い自由度を与える。
【００２５】
なお、本実施の形態で採用された各種寸法は、単なる好適な一例に過ぎない。本件発明者の知見によれば、筒状の弾性部材の好適なサイズ及び形状として、内径が１ｍｍ〜２ｍｍであり、外径が３ｍｍ〜５ｍｍであり、長さが３ｃｍ〜１０ｃｍであるという円筒状が採用され得る。また、筒状の弾性部材の材料としては、シリコンゴム（シリコン）の他に、発砲シリコーン、ウレタン、発砲ウレタン、軟質ウレタン、ラテックス、フォームラテックス、フッ素ゴム、天然ゴム、軟質ビニル、ナイロンなどが採用可能である。また、本件発明者の知見によれば、螺旋状の切り込み線Ｃの方向は、当該筒状の弾性部材の軸線方向に対して４５°〜７５°の範囲内の方向であることが好ましい。
【００２６】
なお、弾性付与部材１５、１６は、マスク１０の紐部１２、１３の代わりに、メガネのツル（テンプル）に対して、少なくともその一部を巻き込むように配置可能である。その場合は、使用者が当該眼鏡を装着する時に、長時間に亘って心地よい装着感を得ることができる。
【００２７】
すなわち、使用者の左耳に掛けられるための左側ツルと、使用者の右耳に掛けられるための右側ツルと、左側ツルの少なくとも一部を取り囲む左側弾性付与部材と、右側ツルの少なくとも一部を取り囲む右側弾性付与部材と、を備えたメガネであって、各弾性付与部材は、筒状の弾性部材が螺旋状に切り込まれた状態に構成されて、左側ツルまたは右側ツルの少なくとも一部を巻き込んで配置されていることを特徴とするメガネについても、本願の保護対象である。
【００２８】
また、使用者の左耳に掛けられるための左側ツルと、使用者の右耳に掛けられるための右側ツルと、を備えたメガネの各ツルに取り付けるための弾性付与部材であって、筒状の弾性部材が螺旋状に切り込まれた状態に構成されており、メガネの各ツルの少なくとも一部を巻き込むようにして当該ツルに取り付け可能であることを特徴とするメガネのツル用の弾性付与部材についても、本願の保護対象である。
【符号の説明】
【００２９】
１  マスクの本体部分（従来例：特許文献１）
２  耳掛け紐（従来例：特許文献１）
３  柔軟性部材（従来例：特許文献１）
４  係止部材（従来例：特許文献１）
１０  マスク
１１  繊維部
１２  左側紐部
１３  右側紐部
１５  左側弾性付与部材
１６  右側弾性付与部材
Ｃ  螺旋状の切り込み線
【図１】
2015042231.tif 000003
【図２】
2015042231.tif 000004
【図３】
2015042231.tif 000005
【図４】
2015042231.tif 000006
【図５】
2015042231.tif 000007